(57)【要約】【課題】伸縮性のあるウエストベルトの背部に布体を縫合し、該布体を前にまわして前記ウエストベルトの前部に引っ掛けて止める方式の介護パンツを提供する。【解決手段】前部に着脱機構を有するウエストベルトと該ウエストベルトの背部に取り付けられた布体と、前記布体をパンツ形状に着脱可能に固定する固定手段と、前記布体の開放端部に延設された折り返し片部とにより構成され、前記布体は任意のオムツを装着位置で固定するように前記固定手段により固定されるものであり、前記折り返し片はウエストベルト前部で折り返し垂下状態となる。また折り返し片の折り返し位置を位置調節可能に固定する位置調節手段を備えたことを特徴とする構成よりなる。【選択図】図１
2007113161.tif 000002
【特許請求の範囲】
【請求項１】
前部にベルト着脱機構を有するウエストベルトと該ウエストベルトの背部に端部で取り付けられた布体と、前記布体をパンツ形状に着脱可能に固定する固定手段と、前記布体の開放端部に延設された折り返し片部とにより構成され、前記布体は任意のオムツを装着位置で固定するように前記固定手段により固定されるものであり、前記折り返し片はウエストベルト前部で折り返し垂下状態となるものであることを特徴とする介護パンツ。
【請求項２】
折り返し片の折り返し位置を位置調整可能に固定する折り返し位置調整手段を備えたことを特徴とする請求項１記載の介護パンツ。
【発明の詳細な説明】
【技術分野】
【０００１】  本発明は、伸縮性のあるウエストベルトの背部に布体を縫合し、該布体を前にまわして前記ウエストベルトの前部に引っ掛けて止める方式の介護用下着に関するものである。
【背景技術】
【０００２】  従来、紙で作られたパンツ型や、紙で作られたテープ止めでパンツ形状とするオムツ型の介護用下着があり、手術着の下に着ける下ばきとしてＴ字帯がある。
【発明の開示】
【発明が解決しようとする課題】
【０００３】  それぞれに次のような問題点があった。
（イ）紙で作られたパンツ型介護用下着と紙で作られたテープ止めでパンツ状とする介護用下着においては、使い捨てであるためコストがかかり、パルプを主原料とするため森林資源の浪費につながる。
（ロ）紙で作られたパンツ型介護用下着は、ズボンを下ろした状態で両脇の縫い目を破って汚物ごと取り去ることはできるものの、陰部を清めた後、改めてズボンを脱がせ、新しいパンツ型下着をはかせてからまたズボンを着せることになり介助に手間がかかり被介助者にも負担がかかる。
（ハ）テープ止めでパンツ形状とする介護用下着は、もともとウエストのくびれがあまりなく、腰骨の発達していない乳児用の紙オムツを大きくしただけの形状をしており、固定の方式も又あて部分から延設された前あてを前上にあげ、その両脇を臀部に当たる部分から横に伸びた羽根に付いているテープで両脇から固定する方式なので、便失禁に対応するため臀部に更に尿取りパットをあてたい時、介助者はパットと該下着を同時に押さえなくてはならず困難を伴う。装着後、被装着者が立ち上がった時、ずり落ちやすく、尿取りパットと併用すると著しくフィット性に乏しくなるため、非装着者の歩行運動を妨げる。
（ニ）Ｔ字帯は細く伸縮性に乏しい綿テープにサラシを縫い付けて垂らしただけの形状をしており人体に合わせた形状でなく、尿取りパットと併用することは困難で、ファッション性が皆無であるため日常使用に適さない。
本発明は、これらの問題点を解決するためになされたものである。
【課題を解決するための手段】
【０００４】  前部にベルト着脱機構を有するウエストベルトと該ウエストベルトの背部に端部で取り付けられた布体と、前記布体をパンツ形状に着脱可能に固定する固定手段と、前記布体の開放端部に延設された折り返し片部とにより構成され、前記布体は任意のオムツを装着位置で固定するように前記固定手段により固定されるものであり、前記折り返し片はウエストベルト前部で折り返し垂下状態となる。また折り返し片の折り返し位置を位置調節可能に固定する折り返し位置調節手段を備えたことを特徴とする構成よりなる。
【発明の効果】
【０００５】  １．はじめは一枚の布であるのでズボンを下ろしただけで装着できる。
２．ウエストにウエストベルトで固定できるので、尿取りパットをあてるとき同時に介護用パンツを押さえる必要がなく、介助者は両手を使って尿取りパットをあてることが出来る。
３．布体を前に引き上げてベルトに固定するため、適度な引っ張りによりフィット性に優れ、臀部および尿器に当てた尿取りパットをしっかり保持し、しかも被装着者の歩行運動を妨げない。
４．布製であるため紙製に比べ肌にあたる感触に優れ、洗濯して繰り返し使用できて経済的である。
５．布体の折り返し位置を装着の最終段階で調節できるので被装着者の体型、尿取りパットのあてかたにあわせたフィット調整が可能である。
６．Ｔ字帯と同じ基本機構を使っていながら装着後は普通の布製パンツのように見え、被装着者は羞恥心を感じることが少ない。
【発明を実施するための最良の形態】
【０００６】    以下、本発明の実施の形態について説明する。
本発明はウエストベルトと布体と固定手段とにより構成される。
（イ）図１に示すように、ウエストベルト（１）は、伸縮性のある布地で作り、その両端にウエストスナップ（２ａ・２ｂ）を付ける。図１においてａは表面側展開図であり、ｂは肌あて側展開図である。図においては表面側にウエストスナップ雄（２ａ）、肌あて側にウエストスナップ雌（２ｂ）か設けられている。ウエストベルト（１）の外側になる面の装着時の左右前位置に布体固定ボタン（３）を２つ取り付ける。
（ロ）布体（４）は、臀部全体と更に腰の両脇の大転子部の前までを被う後ろあて部（５）と股を被う又股あて部（６）、下腹部前部を被う前あて部（７）、ウエストベルト（１）に引っ掛けて折り返す折り返し片（８）とで構成される。少なくとも後ろあて部（５）と前あて部（７）の肌に直接触れる面は吸汗性を持たせ、股あて部（６）の内側・外側両面と股グリ（９）、後ろあて部（５）と前あて部（７）の外側の面にはズボン等の汚れ防止のため撥水性・防水性を持たせる。股グリ（９）にはギャザーやゴム等の従来利用される方法により高い伸縮性を持たせる。後ろあて部（５）、又あて部（６）、前あて部（７）は人体の体型に合わせた形状とし、後ろあて部（５）と前あて部（７）の両端には側部スナップ（１０ａ・１０ｂ）を付ける。折り返し片（８）は前あて部の開放端部に延設し、折り返し位置には２つずつ複数列のボタンホール（１１）を設ける。ウエストベルト（１）の下部にウエストベルト（１）の背中心と布体（４）の後ろあて部（５）の背中心を合わせて縫合（１２）する。
（ハ）固定手段はウエストベルト（１）、布体（４）の左右側部、折り返し片に各々設けられている。ウエストベルト（１）は被装着者のウエストラインに沿わせ体の前でウエストスナップ（２ａ・２ｂ）により固定する。布体（４）は前にまわし後ろあて部（５）と前あて部（７）を側部スナップ（１０ａ・１０ｂ）でパンツ形状になるように固定する。布体の折り返し片（８）はウエストベルト（１）の前部で中から外へ通して折り返し垂下状態にしてウエストベルト（１）上の布体固定ボタン（３）を折り返し片（８）のボタンホール（１１）にとうして固定する。折り返し位置の調整のため折り返し片（８）には複数列のボタンホール（１１）が設けてある。これらにより図２に示すように装着される。
本発明は以上の構成で、これを使用するときは以下の手順で行う。
１．図３に示すように、被装着者に立位をとってもらい、一枚の布状の本発明を被装着者の背部より臀部に直接あてウエストベルト（１）をウエストスナップ（２ａ・２ｂ）により前で止める。
２．図４に示すように、布体の丈が長くて床につきそうな場合は布体（４）を中表にして折り上げウエストベルト（１）の背部に引っ掛けてそれを防ぐ。
３．図５に示すように尿取りパット（１３）を便失禁に対応するために使用するときはこの時に臀部に後ろまたは横から差し込んであてる。
４．図６に示すように布体（４）の後ろあて部（５）の上から尿とりパット（１３）が落ちないように押さえながら布体（４）を前へわたして上へ引き上げ、仮に止めるため布体（４）の折り返し片（８）をウエストベルト（１）の前部に引っ掛けておく。
５．尿器の前の部分に尿取りパット（１３）をあてる。
６．図７に示すように、布体（４）の側部スナップ（１０ａ・１０ｂ）で布体（４）の後ろあて部（５）と前あて部（７）を止める。
７．図８に示すようにフィット具合を調節しながら布体（４）の折り返し片（８）を引っ張りあげてウエストベルト（１）の内側に通し上に出して前に折り下げ、丁度よいところのボタンホール（１１）にウエストベルト（１）上の布体固定ボタン（３）をとうして止める。
本発明は主に老人介護の場面で、立位のとれる被介護者に介助して使ってもらうことを想定しているが、股関節や膝関節の変形・固縮のため立位がとれずパンツ型の下着を装着することが出来ない場合は、被介護者を仰向けに寝かせた状態でも装着可能である。また、知的、精神的に健常であるが下肢等の障害により下半身の着脱衣に困難を抱えている身体障害者の自助衣服としても使うことが出来る。
【図面の簡単な説明】
【０００７】
【図１】    本発明の展開図
【図２】    本発明の使用状態図
【図３】    本発明の使用手順説明図
【図４】    本発明の使用手順説明図
【図５】    本発明の使用手順説明図
【図６】    本発明の使用手順説明図
【図７】    本発明の使用手順説明図
【図８】    本発明の使用手順説明図
【符号の説明】
【０００８】１                    ウエストベルト．
２；２ａ；２ｂ        ウエストスナップ．
３                    布体固定ボタン．
４                    布体．
５                    後ろあて部．
６                    股あて部．
７                    前あて部．
８                    折り返し片部．
９                    股グリ．
１０；１０ａ；１０ｂ  側部スナップ．
１１                  ボタンホール．
１２                  縫合部分．
１３                  尿取りパット．
【図１】
2007113161.tif 000003
【図２】
2007113161.tif 000004
【図３】
2007113161.tif 000005
【図４】
2007113161.tif 000006
【図５】
2007113161.tif 000007
【図６】
2007113161.tif 000008
【図７】
2007113161.tif 000009
【図８】
2007113161.tif 000010